(57)【要約】【課題】アームが所期使用態様で振動等によりがたつく虞を解消し使い勝手を向上する。【解決手段】ケース１に対し引出位置と格納位置とに切り換えられると共に、容器周囲部分を保持可能な周囲拘束部２２を有しているホルダー２と、ホルダーに対し移動可能に組み付けられて周囲拘束部２２との間に大きさが可変する挿入孔２８を区画するアーム３と、付勢手段とを備えているカップホルダーにおいて、前記付勢手段は、アーム３の基端側に作用してホルダー２を格納方向へ切り換える過程で該アームを付勢力に抗し挿入孔２８の縮小方向に可変可能にし、ホルダー２を引出方向へ切り換えるときに該アームを付勢力にて挿入孔の拡大方向へ可変する第１ばね部材５と、アーム３の先端側に作用してホルダー２の引出位置で第１ばね部材５の付勢力に抗して当該アームを初期使用態様に保持し、アーム３を付勢力に抗し挿入孔の拡大方向に可変可能にする第２ばね部材６とからなる。【選択図】        図２
2006096182.tif 000002
【特許請求の範囲】
【請求項１】
ケースに対して引出位置と格納位置とに切り換えられると共に、上下に貫通しかつ側部に開口形成されて容器の周囲部分を保持可能な周囲拘束部を有しているホルダーと、前記ホルダーに対し移動可能に組み付けられて前記周囲拘束部との間に大きさが可変する容器用挿入孔を区画形成するアームと、前記アームを付勢する付勢手段とを備えているカップホルダーにおいて、
前記付勢手段は、
前記アームの基端側に作用して前記ホルダーを格納位置方向へ切り換える過程で該アームを付勢力に抗して前記挿入孔の縮小方向に可変可能にし、かつ前記ホルダーを引出位置方向へ切り換えるときに該アームを付勢力にて前記挿入孔の拡大方向へ可変する第１ばね部材と、
前記アームの先端側に作用して前記ホルダーの引出位置で前記第１ばね部材の付勢力に抗し該アームの可変量を規制して当該アームを初期使用態様に保持し、かつ前記アームを付勢力に抗して前記挿入孔の拡大方向に可変可能にする第２ばね部材とで構成されていることを特徴とするカップホルダー。
【請求項２】
前記第２ばね部材はコイルばねであり、前記アーム先端側に設けられた装着用凹所に配置され、一端側がアーム先端側に係止され、他端側が前記装着用凹所の外へ延設されて前記初期使用態様で前記ホルダー側の対応部に離間可能に係止されることを特徴とする請求項１に記載のカップホルダー。
【請求項３】
請求項１又は２において、前記第１ばね部材はコイルばねであり、前記アーム基端側は前記第１ばね部材を配置する装着用凹所を有していると共に、前記ホルダー側に設けられた軸孔に対し軸部を介して回動可能に枢支されていることを特徴とするカップホルダー。
【請求項４】
請求項１又は２において、前記第１ばね部材はコイルばねであり、前記アーム基端側は前記第１ばね部材を配置する装着用凹所を有していると共に、前記ホルダー側に設けられた溝に対し軸部を介して回動かつ摺動可能に嵌合されていることを特徴とするカップホルダー。
【請求項５】
前記アームの先端側は、前記ホルダー側の対応部に設けられた長溝に対し軸部を介して摺動可能に嵌合されていることを特徴とする請求項１から４の何れかに記載のカップホルダー。
【発明の詳細な説明】
【技術分野】
【０００１】
本発明は、自動車，電車，船舶等の室内に装備されるカップホルダーのうち、特にケースに対して前後方向へ摺動される引出式のカップホルダーに関するものである。
【背景技術】
【０００２】
引出式のカップホルダーは、自動車等の室内壁やコンソールに組み込まれて、乗員が必要時に引き出して容器等を挿入保持するもので、不使用時に格納されるため室内空間の有効活用などに優れている。図９はその一例として、特許文献１に記載されているカップホルダーを示している。このカップホルダーは、ケース５０（コンソール側）の格納空間５１に対し前後方向へ摺動して引出位置と格納位置に切り換えられるホルダー５２と、ホルダー５２に設けられて上下に貫通しかつ側部に開口されて容器の周囲部分を保持可能な周囲拘束部５３と、ホルダー５２に対し移動可能に組み付けられて周囲拘束部５３との間に大きさが可変する容器用挿入孔５４を区画形成するアーム（保持体）５５と、アーム５５を付勢するばね部材５８と、ホルダー５２に付設されて挿入孔５４に入れられる容器Ｃの底面を受ける底支持部材６０とを備えている。このうち、ホルダー５２は、厚さ内に横開口した空間を形成し、該空間に対しアーム５５が出没される。アーム５５は、全体が前記空間内に入る大きさで、基端側がホルダー５２の対応部に対し上下のビス５６及び前記空間内に配置されて前記各ビスに係合している筒を介し枢支され、先端側が前記空間内に摺動自在に配置されている。ばね部材５８は、コイルばねであり、前記筒に巻装された状態で、一端がホルダー５２の対応部に係止され、他端がアーム５５の対応部に係止されている。
【０００３】
以上のアーム５５は、ホルダー５２が図９（ａ）の引出位置にあるときにはばね部材５８に付勢されていない初期使用態様であり、同図の矢印Ａ又は矢印Ｂの方向へ回動される際にばね部材５８で付勢されるようになっている。このアーム５５の初期使用態様において、容器Ｃを保持するときは、アーム５５をばね部材５８の付勢力に抗して矢印Ａの方向へ回動させて、該容器Ｃが挿通可能な大きさになるまで挿入孔５４を拡径した後、容器Ｃを図９（ｂ）に示されるように拡径された挿入孔５４に挿通する。すると、容器Ｃは、底面が底支持部材６０で受け止められ、周囲が矢印Ｂの方向へ付勢されたアーム５５に押され、周囲拘束部５３と該アーム５５との間にがたつき無く拘束される。この状態から容器Ｃを挿入孔５から引き抜くと、アーム５５はばね部材５８で付勢回動されて、図９（ａ）の初期使用態様に戻される。また、ホルダー５２は、格納空間５１に押し入れられて格納位置に切り換えられる。このときは、アーム５５がばね部材５８の付勢力に抗して矢印Ｂの方向へ大きく回動されてホルダー５２の空間内に収容される。
【０００４】
【特許文献１】実開昭６１−１８５６２９号公報
【発明の開示】
【発明が解決しようとする課題】
【０００５】
上記したカップホルダーは、容器Ｃが周囲拘束部５３とアーム５５との間にあって、挿入孔５４を縮小する方向へ付勢されているアーム５５により押されるため外径の異なる容器でもがたつき無く保持することができる。しかしながら、この構造では、アーム５５が図９（ａ）の初期使用態様から矢印ＡかＢの方向に回動されない限りばね部材５８による付勢力を受けないため、図９（ａ）の初期使用態様において車体振動などによりアームががたつき易い。また、この構造では、ばね部材５８がアーム５５の基端側に作用して該アームを矢印ＡとＢの２方向に回動するときに付勢圧をそれぞれ蓄えるため、例えば、アーム５５の回動範囲の内、矢印Ａの方向への回動範囲を大きく設定しようとすると付勢力が必要以上に大きくなったり、容器周囲に対する適度な押圧力を保ち難くなる。なお、設計上は、例えば、アームの移動軌跡を工夫してよりコンパクト化を図りたいという要望もある。そこで、本発明の目的は、上述したような課題を簡易な構成により解消し、使い勝手をより向上することにある。
【課題を解決するための手段】
【０００６】
上記目的を達成するため本発明は、ケースに対して引出位置と格納位置とに切り換えられると共に、上下に貫通しかつ側部に開口形成されて容器の周囲部分を保持可能な周囲拘束部を有しているホルダーと、前記ホルダーに対し移動可能に組み付けられて前記周囲拘束部との間に大きさが可変する容器用挿入孔を区画形成するアームと、前記アームを付勢する付勢手段とを備えているカップホルダーにおいて、前記付勢手段は、前記アームの基端側に作用して前記ホルダーを格納位置方向へ切り換える過程で該アームを付勢力に抗して前記挿入孔の縮小方向に可変可能にし、かつ前記ホルダーを引出位置方向へ切り換えるときに該アームを付勢力にて前記挿入孔の拡大方向へ可変する第１ばね部材と、前記アームの先端側に作用して前記ホルダーの引出位置で前記第１ばね部材の付勢力に抗し（第１ばね部材の付勢力に打ち勝って)該アームの可変量を規制して当該アームを初期使用態様に保持し、かつ前記アームを付勢力に抗して前記挿入孔の拡大方向に可変可能にする第２ばね部材とで構成されていることを特徴としている。
【０００７】
以上の本発明は、アームがホルダーに対し移動可能に組み付けられてホルダー側の周囲拘束部との間に大きさが可変する容器用挿入孔を区画する構成において、特に、アームが基端側に作用する第１ばね部材と、先端側に作用する第２ばね部材とで制御されることにより、アームを初期使用態様の方向へ回動するときの付勢力と、アームを初期使用態様に保つときの付勢力と、容器を保持した状態で該容器の周囲を押すときの付勢力とを最適状態に得られるよう工夫したものである。
【０００８】
また、以上の構造において、前記第２ばね部材はコイルばねであり、前記アーム先端側に設けられた装着用凹所に配置され、一端側がアーム先端側に係止され、他端側が前記装着用凹所の外へ延設されて前記初期使用態様で前記ホルダー側の対応部に離間可能に係止されること（請求項２）、前記第１ばね部材はコイルばねであり、前記アーム基端側は前記第１ばね部材を配置する装着用凹所を有していると共に、前記ホルダー側に設けられた軸孔に対し軸部を介して回動可能に枢支されていること（請求項３）、前記第１ばね部材はコイルばねであり、前記アーム基端側は前記第１ばね部材を配置する装着用凹所を有していると共に、前記ホルダー側に設けられた溝に対し軸部を介して回動かつ摺動可能に嵌合されていること（請求項４）、前記アームの先端側は、前記ホルダー側の対応部に設けられた長溝に対し軸部を介して摺動可能に嵌合されていること（請求項５）が好ましい。
【発明の効果】
【０００９】
以上の本発明は次のような効果を有している。
・請求項１の発明は、アームがホルダーの引出位置で第２ばね部材により第１ばね部材の付勢力に抗して該アーム（挿入孔を拡大する方向への）の可変量を規制して初期使用態様に保持されるため、初期使用態様で振動などによりがたつくという不具合を解消できる。また、従来構造に比べて初期使用態様から挿入孔拡大方向へのアームの回動範囲を大きくしても、外径の異なる各種容器の周囲に対する適度な押圧力を保ち易くなる。
・請求項２の発明は、第２ばね部材がアーム先端側の凹所に組み込まれて、ホルダーの引出位置で第２ばね部材の他端側をホルダー側の対応部に当接して第１ばね部材の付勢力に抗してアームを初期使用態様に保持したり、アームを第２ばね部材の付勢力に抗して挿入孔の拡大方向に可変可能にする。
・請求項３の発明は、図１〜図５の形態を特定したもので、第１ばね部材がアーム基端側の凹所に組み込まれて、ホルダーを格納位置方向へ切り換えたり、ホルダーを引出位置方向へ切り換えるとき、アームが軸孔に嵌合している軸を支点として挿入孔の縮小方向、或いは挿入孔の拡大方向へ回動可能にする。
・請求項４と５の発明は、図６〜図８の形態を特定したものである。このうち、請求項４では、請求項３の構成に比べてアームが基端側も溝に沿って摺動されるため、例えば、ホルダーに対するアームの配置などの設計自由度を拡大でき、コンパクト化も図り易くなる。請求項５では、アームの先端側を長溝に沿って動かすため、アームの切換作動をより良好にできる。
【発明を実施するための最良の形態】
【００１０】
本発明の形態例について図面を参考しながら説明する。図１〜図５は第１実施例のカップホルダーを示し、図７及び図８は第２実施例のカップホルダーを示している。以下の説明では、第１実施例の構造、作動、第２実施例の変更点の順で詳述する。
【００１１】
（構造）第１実施例のカップホルダーは、前側を開口したケース１と、ケース１に対し前後方向へ摺動して引出位置と格納位置に摺動切り換えられるホルダー２と、ホルダー２に設けられて容器の周囲部分を保持可能な周囲拘束部２２と、ホルダー２に対し移動可能に組み付けられて周囲拘束部２２との間に大きさが可変する容器用挿入孔２８を区画形成するアーム３と、ホルダー２に上下方向に回動可能に付設されて挿入孔２８に入れられる容器の底面を受ける底支持部材４と、アーム３の基端に作用する第１ばね部材５と、アーム３の先端側に作用する第２ばね部材６とを備えている。なお、このカップホルダーは、自動車のインストルメントパネル又はセンターコンソールとインストルメントパネルの接続部付近に設置される設計であるが、室内壁や各種コンソール等に設置してもよい。
【００１２】
ケース１は、上側の樹脂製本体１０及び下側の金属製下支持体１５とで前後開口した容器状に区画されていて、設置部に対し前開口を露出した態様で装着される。本体１０は、上面１１及び両側面１２並び両側面１２のうち下前側の間を連結している連結部とで区画されている。上面１１と各側面１２との角部はテーパー部１３ａに形成され、又、上面１１の前縁のうち左右中間から片側が円弧縁部１３ｂに形成されている。円弧縁部１３ｂは、後述するホルダー側周囲拘束部２２の円弧とほぼ同じ曲率になっている。上面１１には、前後方向に延びている凹状部１１ａと、凹状部１１ａの後方側に位置して設置部側への取付用弾性係止爪１１ｂと、内面前後方向に延びているガイド溝１４などが設けられている。これに対し、下支持体１５は、下面１６及び両側面１７からなり、本体１０に対し各側面１７を本体１０の対応側面１２の内側に配置しかつねじ１９で固定し、又、下面１６の前側部分を前記連結部に不図示のねじで固定した状態で一体化されている。各側面１７には、内面前後方向に延びているガイド溝１８などが設けられている。
【００１３】
ホルダー２は、ケース１に対し前後方向へ摺動可能に組み付けられて、前方へ摺動した引出位置と後方へ摺動した格納位置とに切り換えられる。図面上は細部を省略しているが、実際にはホルダー２が格納位置で付勢手段の付勢力に抗して係止機構により係止され、前記係止を解除すると、前記付勢手段の付勢力により自動的に引出位置に摺動切り換えられる。図５中、符号２５ｃは前記係止機構の一部を構成している不図示のトレースピンを係止−係止解除するハート形のカム部である。
【００１４】
また、ホルダー２は、メイン部２０の前側に装着されてケース１の前開口を閉じる化粧用カバー２９を有している。メイン部２０は、図４及び図５に示されるように、両側面に突設されてケース側のガイド溝１８に嵌合する突起２１と、上下に貫通しかつ側部に開口されて容器の周囲部分を保持可能な円弧状の周囲拘束部２２と、カバー２９を装着している前壁の手前で肉厚内に設けられて周囲拘束部２２側に開口している前空間２３と、後壁の手前で肉厚内に設けられて対応側部及び周囲拘束部２２側に開口している後空間２４とを有している。突起２１は、一方側が前後に連続し、他方側が周囲拘束部２２で欠如されて前後部分として形成されている。周囲拘束部２２は、想定される容器のうち、最大径の容器周囲に対応した曲率に設定されている。前空間２３は、対向した内側面２３ａ，２３ａ及び前内端面とで区画されていると共に、前後寸法が側部を開口している側を開口していない側より短くなっている。後空間２４は、メイン部２０の後側に位置している。後空間２４を区画している上下壁には、図５（ｃ）に示されるように、軸孔２０ａが同軸上に貫通形成されている。符号２５ａは、メイン部２０の後側上面に設けられて、ケース側のガイド溝１４に嵌合する突起である。符号２５ｂは、メイン部２０の後両側付近に設けられている弾性爪である。該弾性爪２５ｂは、ケース１内の対応部に当接して、ケース１に対してホルダー２を最大まで引き出した引出位置を規制する。符号２５ｂは、メイン部２０の後端側に設けられて、両側の突片で区画されている底支持部材４用の枢支部である。
【００１５】
以上のホルダー２には、アーム３が前空間２３と後空間２４との間に配置され、底支持部材４が枢支部２５ｂに上下回動可能に取り付けられる。このうち、まず、底支持部材４は、図１及び図２に示されるように、容器の底面を受け止める受部４０と、受部４０に連結されて後斜め上側に突出している腕部４１とからなり、前記枢支部２５ｂに対し腕部４１の上端がピン４２を介して枢支されている。また、底支持部材４は、ピン４２の軸回り装着されたコイル形ばね部材４３により、全体が使用位置である下方に回動付勢されていて、ホルダー２がケース１に対し引き出された引出位置から押し込まれる過程でばね部材４３の付勢力に抗してホルダー２の下側から周囲拘束部２２内に回動される。
【００１６】
アーム３は、図４に示されるように、円弧状部３０と、円弧状部３０の後方基端側に設けられている凹所３１と、円弧状部３０の先端側に設けられている凹所３３とを一体に有している。円弧状部３０は、周囲拘束部２２の円弧とほぼ等しい弧状に形成されていると共に、前空間２３と後空間２４との間に配置される。円弧状部３０の上面には摺動用のリブ３０ａが設けられている。該リブ３０ａは、例えば、ホルダー２がケース１内に押し込まれる過程でケース内の上面に線接触してアーム３が周囲拘束部２２内に摺動する際の抵抗を低減する。但し、このリブ３０は省略しても差し支えない。
【００１７】
凹所３１は、凹所内を区画している周囲壁の一部を欠如した開口部３１ａと、凹所内の中心に突出された軸部３２と、凹所底面から軸部３２と同軸線上に下設された軸部３２ａとを形成している。そして、凹所３１には、第１ばね部材５が装着されている。該第１ばね部材５は、コイルばねであり、中間の巻回部を軸部３２に軸装した状態で、一端５ａ側が開口部３１ａの対応部に係止され、他端５ｂ側が開口部３１ａから外へ突出されている。アーム３は、そのようにして第１ばね部材５を凹所３１に組み込んだ状態で、基端側凹所３１が後空間２４に押し入れられ、かつ、上下の軸部３２，３２ａが対応する軸孔２０ａ，２０ａに嵌合されることにより、ホルダー２に回動可能に枢支される。その後、アーム２は、第１ばね部材５の他端５ｂが付勢力を発現しつつホルダー２の後端側に掛け止め係止されることで、周囲拘束部２２から離れる外方向へ回動付勢される。
【００１８】
凹所３３は、凹所内を区画している周囲壁の一部を欠如した開口部３３ａと、凹所内の中心に突設された軸部３４と、凹所内を区画している周囲壁のうち、前下側に設けられて開口部３３ａと連通しているスリット３３ｂとを形成している。そして、凹所３３には、第２ばね部材６が装着されている。該第２ばね部材６は、コイルばねであり、中間の巻回部を軸部３４に軸装した状態で、一端６ａ側が開口部３１ａの対応部に係止され、他端６ｂ側が付勢力を発現しつつ開口部３３ａからスリット３３ｂを通って外へ突出されている。そして、この構造では、アーム３がホルダー２に対し軸部３２，３２ａと軸孔２０ａ，２０ａとの嵌合を介して枢支され、かつ、第１ばね部材５により周囲拘束部２２と円弧状部３０との間に形成される容器用挿入孔２８を拡大ないしは拡径する方向へ回動される。
【００１９】
（作動）以上のカップホルダーでは、ホルダー２がガイド溝１４，１８と突起２５ａ，２１との嵌合によるガイドを伴ってケース１から引き出された引出位置とケース１内に押し入れられた格納位置とに摺動切り換えられる。
（ア）、図２はホルダー２が引出位置に切り換えられた状態を示している。この状態では、アーム３が図４及び図５に示されるように、基端側の第１ばね部材５の付勢力により外側へ回動されているが、先端側の第２ばね部材６がその他端６ｂを前空間２３の対応する内側面２３ａに当接し、それによりアーム３を同図の初期使用態様に保持している。すなわち、この初期使用態様では、ホルダー２の引出位置において、第２ばね部材６によりアーム基端側に作用している第１ばね部材５の付勢力に抗しアーム３の可変量を規制して当該アーム３を弾性保持（第２ばね部材６の他端６ｂの弾性保持力が第１ばね部材５の付勢力に打ち勝つこと）する。このため、この構造では、アーム３が初期使用態様において、車体振動などによってもがたつくことなく安定保持されている。この利点は、アーム３が車体振動などで不用意にがたつかないようにし、加えて、例えば、初期使用態様時の挿入孔２８より小さな外径の容器を、挿入孔２８に挿入して底支持部材４の受部４０に載せて保持するときに、容器周囲がアーム３に軽く当たっても不用意に動かないようにする。
【００２０】
（イ）、図１の実線で示す（図２の一点鎖線で示す）アーム３は、不図示の容器を挿入孔２８に挿入する際、アーム３の内側から外側へ負荷をかけて挿入孔２８を拡大する方向へ回動した状態である。この構造では、アーム３が初期使用態様から挿入孔２８を拡大する方向へ回動されるとき、内側面２３ａに係止されている第２ばね部材６の他端６ｂに付勢力を蓄えつつ、或いは、他端６ｂの付勢力に抗して回動される。そして、容器は、拡大された挿入孔２８に入れられて底支持部材４の受部４０で受け止められる。すると、アーム３は、第２ばね部材６に蓄えられた付勢力により初期使用態様の方向へ回動され、当該容器周囲に適度な押圧力で当接することにより、当該容器を周囲拘束部２２との間にがたつき無く保持可能にする。
（ウ）、図３はホルダー２が引出途中又は格納途中の状態を示している。この状態では、アーム３がケース１の対応する内側面から受ける応力により、軸部３２，３２ａを支点とし、かつ第１ばね部材５の付勢力に抗して挿入孔２８を縮小する方向、つまり周囲拘束部２２の円弧内へ回動される。このアーム３の回動により、第２ばね部材６の他端６ｂが内側面２３ａから離間されて、前空間２３内の任意の位置まで動かされる。第２ばね部材６はこの状態でも、凹所３３に付勢力を発現した状態で組み込まれているため凹所３３から不用意に外れることはない。なお、図３の状態において、底支持部材４は、上記したピン４２を支点とし、かつ上記したばね部材４３の付勢力に抗して上向きに回動されて、周囲拘束部２２とアーム３との間に形成されている空間に収まっている。
【００２１】
（第２実施例）この実施例では、上記構造に対して、アーム３の基端側がホルダー２の対応部に設けられた溝２６ａに対し軸部３２ａを介して回動かつ摺動可能に嵌合されている点と、アーム３の先端側がホルダー２の対応部に設けられた長溝２３に対し軸部３４ａを介して摺動可能に嵌合されている点で相違し、それ以外は実質的に同じである。このため、この説明では、第１実施例と同じ部材及び部位に同一符号を付して重複した記載を省き、変更点だけを述べる。なお、図６は理解し易くするため一部を省略して模式化している。
【００２２】
すなわち、このアーム３は、第１実施例に比べて凹所３３の底面から軸部３４と同軸線上に下設された軸部３４ａを有している。ホルダー２は、前空間２３を区画している下面部分に設けられて軸部３４ａと摺動自在に嵌合するガイド用長溝２６ｂと、後空間２４を区画している下面部分に設けられて軸部３２ａと摺動自在に嵌合するガイド用溝２６ａとを有している。ここで、溝２６ａや長溝２６ｂは、前空間２３や後空間２４を区画している上面及び下面部分に設けて、対応する軸部３３ａの上端や軸部３２の上端を少し長くして嵌合することもある。また、前空間２３側には、第２ばね部材６の他端６ｂを係止する専用のボス部２７ｂが設けられている。後空間２４には、第１ばね部材５の他端５ｂを係止する専用のボス部２７ａが設けられている。
【００２３】
（エ）、以上の構造では、溝２６ａが軸部３２ａと嵌合してアーム３の基端側をホルダー２の幅方向に摺動可能にし、長溝２６ｂが軸部３４ａと嵌合してアーム３の先端側をホルダー２の幅方向に摺動可能にする。すなわち、図７（ａ）はホルダー２が不図示のケース１から引き出された引出位置を示している。この状態ではアーム３が上記した初期使用態様となっている。つまり、アーム３は、第１ばね部材５の付勢力で挿入孔２８を拡大する方向へ回動されるが、第２ばね部材６により第１ばね部材５の付勢力に抗しアーム３の可変量を規制して当該アーム３を弾性保持（ボス部２７ｂに係止する第２ばね部材６の他端６ｂの弾性保持力が第１ばね部材５の付勢力に打ち勝つこと）する。
【００２４】
図７（ｂ）は、不図示の容器を挿入孔２８に挿入する際、アーム３を挿入孔２８を最大まで拡大する方向へ押圧した状態を示している。すなわち、アーム３は、凹所３１の基端側において、軸部３２ａを溝２６ａに沿って溝の一端（ホルダー２の左右中間側）から他端（ホルダー２の側部側）に摺動し、かつボス部２７ａに係止されている第１ばね部材５の他端５ｂに復帰用の付勢力を蓄積しながら、第１ばね部材５の付勢力により挿入孔２８を拡大する方向へ回動される。同時に、凹所３３の先端側において、軸部３４ａを長溝２６ｂに沿って長溝の他端（ホルダー２の側部側）に摺動し、かつボス部２７ｂに係止されている第２ばね部材６の他端６ｂに復帰用の付勢力を蓄積しながら挿入孔２８を拡大する方向へ摺動される。このため、この構造では、第１実施例に比べてアーム３が基端及び先端共にホルダー２の幅方向へ摺動するため、例えば、挿入孔２８を理想的な真円に近づけて容器を周囲拘束部２２との間でより安定保持できる。また、アーム３は、溝２６ａと長溝２６ｂに沿って摺動されるため、摺動特性も良好となる。
【００２５】
図８は、ホルダー２を不図示のケースに押し入れたホルダーの格納位置を模式的に示している。この格納位置において、アーム３は、ケース側内側面１７ａから受ける応力又は負荷によって、凹所３１の基端側において、軸部３２ａが溝２６ａの一端（ホルダー２の左右中間側）に摺動し、第１ばね部材５の付勢力に抗して挿入孔２８を縮小する方向へ回動される。同時に、凹所３３の先端側において、軸部３４ａが長溝２６ｂの一端（ホルダー２の左右中間側）に摺動し、第２ばね部材６の他端６ｂがボス部２７ｂから離間されることになる。
【００２６】
以上の各実施例は本発明を何ら制約するものではない。本発明は、請求項１の要件を除き種々変形可能なものである。その一例として、本発明のケースは、ホルダーを出し入れ出来ればよく、図９に示されるようなコンソール等の設置側に形成される格納空間でも差し支えなく、そのような態様も含む広義なものである。
【図面の簡単な説明】
【００２７】
【図１】本発明の第１実施例のカップホルダーを模式的に示す外観図である。
【図２】図１のカップホルダーをホルダーの引出位置で示す上面図である。
【図３】図１のカップホルダーを引出途中で示す上面図である。
【図４】図１のホルダー及びアームの関係を示す一部破断した構成図である。
【図５】（ａ）と（ｂ）はホルダー及びアームの上面図と側面図、（ｃ）は（ａ）のＡ−Ａ線で断面した拡大断面図である。
【図６】本発明の第２実施例の要部を模式的に示す構成図である。
【図７】図６のホルダー及びアームの関係を示し、（ａ）はアームの初期使用態様で示す上面図、（ｂ）はアームを最大まで挿入孔を拡大する方向へ変位させた態様で示す上面図である。
【図８】図６と同様にホルダー及びアームの関係を示し、ホルダーの格納位置を想定したアームを挿入孔を縮小する方向へ変位させた態様で示す上面図である。
【図９】（ａ）と（ｂ）は従来構造を異なる態様で示す模式図である。
【符号の説明】
【００２８】
１…ケース（１０は本体、１５は下支持体、１４，１７はガイド溝）
２…ホルダー（２０はメイン部、２３，２４は前後空間、２９はカバー）
３…アーム（３０は円弧部、３１は基端側凹所、３３は先端側凹所）
４…底支持部材（４０は受面、４１は支持腕、４２は軸部、４３はばね部材）
５…第１ばね部材（５ａは一端、５ｂは他端）
６…第２ばね部材（６ａは一端、６ｂは他端）
２２…周囲拘束部
２８…挿入孔
２６ａ，２６ｂ…溝と長溝
２７ａ，２７ｂ…ボス部
３２ａ，３４ａ…軸部
３２，３４…軸部
【図１】
2006096182.tif 000003
【図２】
2006096182.tif 000004
【図３】
2006096182.tif 000005
【図４】
2006096182.tif 000006
【図５】
2006096182.tif 000007
【図６】
2006096182.tif 000008
【図７】
2006096182.tif 000009
【図８】
2006096182.tif 000010
【図９】
2006096182.tif 000011